(57)【要約】【課題】  紙幣の集積に際して、紙幣詰りの発生原因が折れ癖や破れが生じやすい紙幣の中央位置に集中していることに着目し、この紙幣中央位置との接触を回避した集積動作を実施することにより紙幣を安定確実に集積することができる。【解決手段】  紙幣を上下方向に重ねて集積する集積部を設け、該集積部の下部に向けて紙幣を長手方向に送り込み、該送り込まれた紙幣を集積方向の下から集積させる集積手段と、前記集積部に集積される紙幣の長手方向中央位置より奥側で、該紙幣の幅方向両端位置を持ち上げる持ち上げ手段とを備えて紙幣集積装置を構成する。【選択図】  図１
2006343835.tif 000002
【特許請求の範囲】
【請求項１】
紙幣を上下方向に重ねて集積する集積部を設け、該集積部の下部に向けて紙幣を長手方向に送り込み、該送り込まれた紙幣を集積方向の下から集積させる集積手段と、
前記集積部に集積される紙幣の長手方向中央位置より奥側で、該紙幣の幅方向両端位置を持ち上げる持ち上げ手段と、
を備えた紙幣集積装置。
【請求項２】
前記持ち上げ手段は、紙幣の送り込み方向に回転し、該紙幣の幅方向両端位置に対応して紙幣を回転軸上の羽根ではたき上げる一対の羽根車で構成した
請求項１に記載の紙幣集積装置。
【請求項３】
請求項１または２に記載の紙幣集積装置を内蔵し、挿入された紙幣を受付けて該紙幣集積装置に集積処理する取引処理装置。
【発明の詳細な説明】
【技術分野】
【０００１】
この発明は、例えば自動預金支払機（ＡＴＭ）、自動両替機、自動券売機等に内部構成されるような紙幣集積装置に関し、さらに詳しくは折れ癖や破れなどを有する流通紙幣を安定して集積する紙幣集積装置及び取引処理装置に関する。
【背景技術】
【０００２】
一般に、紙葉類集積部に送り込まれてきた紙幣等の紙葉類を集積ガイドする装置は、特許文献１にも開示されているように、該紙葉類集積部の入口部に位置して、集積された紙葉類の後端を羽根車の羽根で回転接触しながら押えつけている。これにより、次に送り込まれてくる紙葉類との間に集積空間を形成し、この集積空間を確保することにより紙葉類を１枚ずつ連続的に集積させている。
【０００３】
特に、流通紙幣は長く使い込まれることで傷みが生じ、紙幣の中央部は折れ癖や様々な形状に破れていることが多い。しかし、上述の集積構造では、集積されている紙葉類の後端と、送り込まれてきた紙葉類の先端とが衝突あるいは不安定に接触するという干渉は防止できるが、集積されている流通紙幣中央部の破れ部分と次に集積するために送り込まれてきた紙幣の先端とが引っ掛って詰りや集積不良を発生させるという問題は解決できなかった。
【０００４】
【特許文献１】特開平１−２９９１５９号公報。
【発明の開示】
【発明が解決しようとする課題】
【０００５】
ここで、流通紙幣の損傷度合いについて、どのように変化しているかを考察した結果、紙幣の全金種に共通して、これらの紙幣は中央に二つ折りにされた折れ癖のあるものが多く、この折れ癖部分で必然的に損傷が顕著になり、ここから亀裂が発生したものが多い。それゆえ、紙幣同士を摺動接触させながら集積する方式の集積装置では、この紙幣中央位置の亀裂に、他の紙幣あるいは集積部材が引っ掛かることに起因して紙幣詰りを発生させることがあった。また、この亀裂はほとんどが紙幣の長手方向中央位置より±５ｍｍ以内の中央付近に発生していることが判明した。このようなことから、紙幣集積装置を構成する場合は紙幣の長手方向中央位置での該紙幣との接触を避ける紙幣集積構造にすればよい。
【０００６】
そこでこの発明は、紙幣の集積に際して、詰りの発生原因が折れ癖や破れが生じやすい紙幣の中央部に集中していることに着目し、この紙幣中央部との接触を回避した集積動作を実施することにより紙幣を安定確実に集積することができる紙幣集積装置及び取引処理装置を提供することを目的とする。
【課題を解決するための手段】
【０００７】
この発明は、紙幣を上下方向に重ねて集積する集積部を設け、該集積部の下部に向けて紙幣を長手方向に送り込み、該送り込まれた紙幣を集積方向の下から集積させる集積手段と、前記集積部に集積される紙幣の長手方向中央位置より奥側で、該紙幣の幅方向両端位置を持ち上げる持ち上げ手段とを備えたことを特徴とする紙幣集積装置である。
【０００８】
この発明では、持ち上げ手段によって集積部に既に集積されている紙幣の中央位置を持ち上げ、この集積部での集積方向の下部に集積空間を確保しておいて、ここに次の紙幣を送り込むことにより紙幣を集積させることができる。この場合、紙幣の持ち上げ位置は集積される紙幣の長手方向中央位置より奥側であるため、既に集積されている紙幣に対して紙幣の中央位置が持ち上げ手段と接触せず、また送り込まれる紙幣の先端も集積されている紙幣の中央位置に接触せず、該紙幣長手方向中央位置の亀裂部分や折れ癖部分との接触を回避しながら紙幣を持ち上げて集積できる。このため、紙幣長手方向中央位置の損傷度合いの影響を受けることなく常に安定して集積することができる。また、紙幣の幅方向両端位置を持ち上げるため紙幣を両側より安定して持ち上げることができる。
【０００９】
さらに、この発明の態様として、持ち上げ手段は紙幣の送り込み方向に回転し、該紙幣の幅方向両端位置に対応して紙幣を回転軸上の羽根ではたき上げる一対の羽根車を用いて構成することができる。
【００１０】
この発明によると、羽根車は紙幣との接触抵抗が少なく、軽い紙幣をはたき上げるのに適した回転接触を行わせるだけで済み、羽根車の回転中は紙幣を常に上方に持ち上げておくことができる。
【００１１】
この場合も紙幣の長手方向中央位置を避けた奥側で羽根が紙幣に回転接触するため、羽根が紙幣の亀裂部分や折れ癖部分に引っ掛ることがない。また、回転軸を中心とする羽根車の回転領域の上部側の高さ空間を集積空間に設ければよいため、小さな集積空間にて構築することができる。従って、紙幣集積装置を小型化できる。
【００１２】
さらに、羽根車の働きは、集積部において紙幣の持ち上げ作用と取り込み作用との両作用を有している。このような作用に加えて羽根車に他の補助部材を併用して集積部への紙幣の取り込み性能を高めることもできる。例えば、集積部の集積方向に前記した羽根車と紙幣送り込み方向に回転する搬送ベルトを併設して構成すれば、紙幣をベルト面に沿わせて羽根車の回転接触位置へと確実に送り込むことができ、腰の弱い不安定な紙幣であっても搬送不良のない安定した送り込みができる。
【００１３】
前記羽根車は、紙幣を上方に持ち上げて下方に集積空間を確保する羽根長さと、集積される紙幣に弾性対応して柔軟に回転接触する可撓性を有する羽根で形成すればよく、この羽根車の代わりに紙幣を持ち上げる搬送ベルトや搬送ローラなどの回転体で構成してもよい。
【００１４】
このほかに自動預金支払機、自動両替機、自動券売機などの取引処理装置は、上述の紙幣集積装置を内部構成すれば、これらの取引に利用される流通紙幣の中央部に亀裂や折れ癖を有していても、その部分には羽根車の先端あるいは送り込まれてくる紙幣の先端が触れないため紙詰りを回避した集積ができる。このため、紙幣の集積性能が安定して信頼性の高い紙幣処理及び取引処理ができる。また、集積構造の小型化を可能にして取引処理装置にコンパクトに内蔵することができる。
【発明の効果】
【００１５】
この発明によれば、集積部に紙幣を集積する場合に、折れ癖や破れなどが生じやすい傾向のある紙幣中央位置との接触を避けた集積を可能にすることによって、紙詰りや集積不良を完全に解消した集積を行うことができる。
【実施例】
【００１６】
この発明の一実施例を以下図面に基づいて説明する。  
図１は自動券売機などの自動取引機に内蔵されて紙幣を１枚ずつ出入れ許容する収納箱１１を示し、この収納箱１１は紙幣の多数枚を積層して収納待機させる紙幣収納部１２を該収納箱１１の内方上部に有し、その内方下部に外方より送り込まれた紙幣Ａを下から集積動作する紙幣集積装置１３を有している。
【００１７】
前記紙幣集積装置１３は、図２〜図５にも示すように、紙幣Ａを上下方向に重ねて集積する集積部１４と、該集積部１４に向けて横方向から紙幣Ａを１枚ずつ長手方向に送り込む送り込み通路１５と、該送り込み通路１５より送り込まれた紙幣Ａを持ち上げて該集積部１４の下から上へと紙幣Ａを集積方向に重ね合せて集積させる下羽根車１６とを備えて構成するものである。
【００１８】
前記集積部１４は入口に上下に対向する搬送ベルト１７と搬送ローラ１８、及びフラッパ１９を備えた送り込み通路１５を接続し、ここに導かれた紙幣Ａを該集積部１４の内方へと送り込み許容し、この集積部１４の内部空間の入口側上方には上羽根車２０を左右に並列配設し、また集積部１４の内部空間の上方には位置決めストッパ片２１を配設し、下方には集積ベルト２２と前記下羽根車１６を配設している。
【００１９】
上述の送り込み通路１５の入口にフラッパ１９を備えることにより、前段から導かれた紙幣Ａを集積部１４側へと送り込む送り込み通路１５と他へ搬送する通路とに振分け操作し、この集積部１４側に略水平状態に送り込まれた紙幣Ａは集積部１４の入口上方に配設された可撓性を有する上羽根車２０の回転接触作用により該紙幣Ａの上面を下方の集積ベルト２２面上に押付ける如く回転接触して搬送力を付与する。これにより、送り込まれた紙幣Ａは集積ベルト２２と接触して同ベルト面からの搬送力を受けながら確実に内方に送り込まれ、腰の弱い紙幣であっても搬送不良のない安定した送り込みができる。
【００２０】
また、上羽根車２０は集積部１４への紙幣送り込み完了位置まで送り込んだときの紙幣Ａの後端部を跳ね上げ、この紙幣後端部を持ち上げて紙幣Ａの後端部を上方の退避位置Ｐ１に退避させ、この退避位置Ｐ１に退避させることで集積部１４に搬入空間Ｐ２を確保して後続の紙幣を集積するように設定している。また、搬入空間Ｐ２を確保するために、集積部１４の底面には搬入方向に沿って集積ベルト２２の入口側を前下がりに傾斜配設している。さらに、後述する下羽根車１６によって、紙幣長手方向中央位置が非接触となる非接触集積空間Ｐ３を確保している。
【００２１】
上述の下羽根車１６は、前記集積部１４に集積される紙幣Ａの長手方向中央位置Ｐ０より奥側（例えば１０ｍｍ程度）で、該紙幣Ａの幅方向両端位置に接触する位置に左右一対に配設している。これらの下羽根車１６は図示しないモータからの駆動伝達力を受けて紙幣の送り込み方向に回転し、この回転時に回転軸２３上の羽根１６ａで紙幣Ａをはたき上げるものである。このため、羽根１６ａは紙幣Ａを上方に持ち上げて、該紙幣Ａの長手方向中央位置の下方に非接触集積空間Ｐ３を確保する羽根長さに形成する。また、集積される紙幣Ａを傷つけないように弾性対応して柔軟に回転接触する可撓性を有するポリミドフィルムやゴム等の羽根で形成する。
【００２２】
この場合、下羽根車１６を紙幣の長手方向中央位置を避けた奥側に配設することにより、該下羽根車１６の羽根１６ａは紙幣Ａの長手方向中央位置を避けて紙幣に回転接触する。このため、紙幣の長手方向中央位置に発生していることが多い亀裂部分や折れ癖部分に羽根１６ａが引っ掛ることがない。
【００２３】
また、紙幣の集積時に、集積部１４の入口側では上羽根車２０によって紙幣Ａの後端側を上方に跳ね上げ、集積部１４の奥方では下羽根車１６によって紙幣Ａの長手方向中央位置を持ち上げることにより、集積部１４の内方空間全体に渡って一定高さの安定した集積空間を確保できる。しかも、僅かな高さの集積空間にて構築することができるため紙幣集積装置を小型化できる。
【００２４】
さらに、この集積部１４では集積動作以外に、上羽根車２０と、下羽根車１６と集積ベルト２２とを併用することによって、羽根車による回転接触作用とベルト面による面接触作用とにより、紙幣Ａをベルト面に沿わせて下羽根車１６の回転接触位置へと確実に送り込むことができ、腰の弱い不安定な紙幣であっても搬送不良のない安定した送り込みができる。
【００２５】
また、これらの上下の羽根車２０，１６及び集積ベルト２２は、集積部１４に対する紙幣の１枚送り込み動作時であっても、集積部１４からの一括返却動作時であっても、紙幣の安定した送り動作を図るために同回転方向に同期回転させ、さらに同速度で回転させる。
【００２６】
さらに、集積部１４の上方に配設される位置決めストッパ片２１は、紙幣長手方向の長さに対応する前後位置に前端ストッパ垂片２１ａと後端ストッパ垂片２１ｂとを垂設した逆凹形状を有し、奥方の前端ストッパ垂片２１ａでは送り込まれた紙幣Ａの先端を受止めて送り込み停止させ、入口側の後端ストッパ垂片２１ｂでは持ち上げられた紙幣Ａの後端側を受止める役目を有している。そして、この送り込み停止された紙幣Ａは両垂片２１ａ，２１ｂ間で位置決めされ、この間に送り込まれた紙幣Ａ…を順に介在させて集積する。
【００２７】
このように、集積部１４に送り込まれた紙幣Ａを両垂片２１ａ，２１ｂ間の定位置に送り込み停止させて集積することで紙幣集積装置１３は複数枚の紙幣Ａを自然に整列集積できる。また、この整列集積が自然に得られるため紙幣を繰出す場合も、紙幣集積装置１３は繰出し不良のない安定した繰出しを行える。
【００２８】
またこの場合、上羽根車２０及び下羽根車１６の羽根の表裏の摩擦係数を異ならせて形成し、摩擦係数の低い方を送り込み方向の接触面側に設定し、高い方を返却方向の接触面側に設定している。これにより、紙幣の取込み時に各羽根車２０，１６が紙幣Ａに回転接触したときの羽根の摩擦力による紙幣の巻込みを抑制し、返却時に摩擦係数の高い羽根が紙幣Ａとの接触抵抗を高めて紙幣の一括逆送を確実にする。
【００２９】
また、長さの異なる数種類の紙幣を混合集積する場合は、一番長い寸法の紙幣長さに合せて位置決めストッパ片２１の長さを設定し、また最小寸法の紙幣長さに合せて羽根車の羽根の長さを設定すればよく、これらの長さ調整によって混合集積にも対処できる。
【００３０】
このように構成された紙幣集積装置１３を図６〜図１４の集積処理動作を参照して説明する。  
今、１枚目の紙幣Ａが送り込み通路１５から集積部１４の入口に送り込まれると、この送り込まれた紙幣Ａは、図６(Ａ)に示すように、上羽根車２０の回転接触作用を受けて集積ベルト２２面上に押付けられながら内方に送り込まれる。
【００３１】
この送り込まれた紙幣Ａは、図６(Ｂ)に示すように、集積部１４の奥部でも下羽根車１６の上向きの回転接触作用を受けて紙幣Ａは持ち上げられながら確実に送り込み動作される。そして、紙幣Ａの先端が前端ストッパ垂片２１ａに当接して送り込みが停止される。
【００３２】
この送り込みが停止されたとき、紙幣Ａの後端部は、図７(Ａ)に示すように、上羽根車２０の回転接触作用により上方に跳ね上げられ、集積部１４の入口に搬入空間Ｐ２を形成する。さらに、下羽根車１６の紙幣中央部分の持ち上げ作用によって紙幣の長手方向中央位置Ｐ０の下方に非接触集積空間Ｐ３を形成する。
【００３３】
これらの上下の羽根車２０，１６が回転している間、紙幣集積装置１３は空間Ｐ２，Ｐ３を終始継続して形成し、これらの空間Ｐ２，Ｐ３を形成した状態で、図７(Ｂ)に示すように、後続の紙幣Ａが送り込まれるまで待機し、後続の紙幣Ａが送り込まれると、この送り込まれた後続の紙幣Ａを同様に集積ベルト２２面上に押付けながら内方に送り込む。
【００３４】
このとき、非接触集積空間Ｐ３の形成によって、ここに送り込まれる紙幣Ａの先端と、持ち上げられた紙幣Ａの損傷している場合が多い長手方向中央位置Ｐ０との接触を回避することができる。このため、ここに送り込まれてくる紙幣Ａを集積部１４の送り込み方向に渡って長く形成された下方の空間Ｐ２，Ｐ３に円滑に集積させることができる。
【００３５】
また、紙幣集積装置１３は紙幣の長手方向中央位置Ｐ０を少し避けた奥側で羽根１６ａが紙幣Ａに回転接触するため、羽根１６ａが紙幣の亀裂部分や折れ癖部分等の損傷部分に引っ掛ることがなく、損傷している紙幣であっても、傷ついていない紙幣の如く安定して受付けて集積できる信頼性の高い集積動作となる。
【００３６】
そして、下から上へと紙幣の集積動作を繰返えせば、図８に示すように、紙幣Ａの複数枚を集積動作することができる。また、下羽根車１６は、紙幣Ａの幅方向両端部を持ち上げるため、腰の弱い紙幣であっても、最も損傷しやすい端部を確実に持ち上げることができる。
【００３７】
次に、集積した紙幣Ａを返却する場合は、図９(Ａ)に示すように、上羽根車２０と下羽根車１６と集積ベルト２２を逆転駆動して紙幣Ａを返却方向に搬送する。
【００３８】
この逆転駆動に従って集積された紙幣Ａは、図９(Ｂ)に示すように、上羽根車２０、下羽根車１６及び集積ベルト２２の逆転方向の搬送力により一括して逆送される。さらに、紙幣Ａは集積部１４の入口側に配設されている送り込み通路１５の逆転搬送作用により逆送され、紙幣Ａの繰出しが完了するまで、図１０(Ａ)に示すように、集積部１４の上羽根車２０及び送り込み通路１５の回転接触作用を確実に受けて繰出される。繰出し完了後は、図１０(Ｂ)に示すように、紙幣集積装置１３は、上羽根車２０、下羽根車１６及び集積ベルト２２の逆転駆動を停止し、その後、正転駆動して次の集積動作に備える。
【００３９】
図１１は既述した紙幣集積装置１３を内部構成した自動券売機３１を示し、この自動券売機３１は、前面の接客パネル３２に、券売案内等の取引案内事項を表示する案内表示器３３と、乗車券を購入指定するために設けられた多数の乗車区間別の選択ボタン３４…と、カードを挿入及び返却するカード挿入口３５と、紙幣を挿入及び返却する紙幣挿入口３６と、硬貨を投入する硬貨投入口３７と、券を放出する券放出口３８と、紙幣を返却する紙幣返却口３９と、釣銭を放出する受皿４０とを備えて、購入指定された券を発券する。
【００４０】
図１２は自動券売機３１に内部構成される紙幣処理装置４１を示し、この紙幣処理装置４１は、前面の紙幣挿入口３６と連通する内方に、識別部４２を隔てた奥方の千円金庫４３、五千円金庫４４、万円金庫４５までの間を搬入通路４６によって接続している。また、この搬入通路４６と紙幣返却口３９までの間を返却用集積装置４７を備えた搬出通路４８によって接続している。
【００４１】
上述の搬入通路４６と搬出通路４８及び金種別の各金庫４３，４４，４５との接続位置には、分岐搬送用の各フラッパ１９を配設している。各金庫４３，４４，４５の紙幣集積装置１３は、その入口部に位置する上羽根車２０の連続回転による回転押付け力による送り込み作用と、下羽根車１６の連続回転による紙幣持ち上げ作用と、逆凹形状に形成された位置決めストッパ片２１による搬入停止作用と、集積ベルト２２による搬送力伝達作用とを備えた一連の集積動作に基づいて送り込まれた紙幣Ａを集積部１４の定位置に集積する。
【００４２】
この集積後に自動券売時の取引が成立すると、集積ベルト２２の下方に配設したプッシャ装置４９を上動操作して、集積した紙幣Ａ…を上方の金種別の紙幣収納部１２に収納処理する。一方、集積後に取消し操作されて取引不成立になると、上下の羽根車２０，１６及び集積ベルト２２を逆転させて、集積された紙幣Ａ…を一括して元の搬入通路４６側に戻した後、スイッチバックさせて搬出通路４８側に導き、これより紙幣返却口３９へと返却処理する。
【００４３】
また、紙幣処理装置４１には搬入通路４６、搬出通路４８及び集積ベルト２２を正逆転駆動する搬送モータＭ１、プッシャ装置４９を昇降駆動するプッシャモータＭ２、前記通路４６，４８の分岐位置に配設されるフラッパ１９を振分け駆動するソレノイドＳＯＬ、前記通路４６，４８及び集積ベルト２２上などの各位置での紙幣の存在を検知する検知センサＳ、及び電源５０等を内蔵している。
【００４４】
図１３は紙幣処理装置４１の制御回路ブロック図を示し、ＣＰＵ７１はＲＯＭ７２に格納されたプログラムに沿って各回路装置を制御し、その制御データをＲＡＭ７３で読出し可能に記憶する。
【００４５】
タイマＴは、紙幣集積装置１３あるいは返却用集積装置４７に紙幣を導いたとき、その導いた紙幣が集積完了位置に導かれるまでの搬入時間をセットして後続の紙幣が集積完了位置に取込まれたことを確認する。
【００４６】
また、ＣＰＵ７１はモータインタフェース７４を介して搬送モータＭ１及びプッシャモータＭ２と接続し、紙幣集積時の送り込み／返却動作や集積が完了した紙幣の収納動作／復帰動作に応じて各モータＭ１，Ｍ２を正逆転駆動する。
【００４７】
ここで搬送モータＭ１は、正転駆動に基づいて搬入通路４６を搬入方向に駆動し、これに基づいて紙幣を内方に取込み、またこのとき紙幣集積装置１３では搬送モータＭ１の正転駆動に連動して上羽根車２０と下羽根車１６と集積ベルト２２とを紙幣送り込み方向に回転させて集積動作させる。一方、搬送モータＭ１を逆転駆動した場合は搬入通路４６の逆転に加えて、紙幣集積装置１３の上羽根車２０と下羽根車１６と集積ベルト２２とを連動させて逆転し、紙幣集積装置１３に集積されている紙幣を逆送して返却するという連動構成をとっている。
【００４８】
また、ＣＰＵ７１はセンサインタフェース７５を介して紙幣処理装置４１の各処理部に配設した検知センサＳと接続しており、これらのセンサＳで紙幣の処理動作を検知確認する。さらに、ＣＰＵ７１はソレノイドインタフェース７６を介してソレノイドＳＯＬと接続し、これらをＯＮ／ＯＦＦ駆動して紙幣の振分け動作や紙幣の位置規制／解除動作を行う。
【００４９】
このように構成された紙幣処理装置４１の処理動作を図１４及び図１５のフローチャートを参照して説明する。  
今、顧客が紙幣を紙幣挿入口３６に挿入したことを検知センサＳが検知すると（ステップｎ１）、ＣＰＵ７１は、搬送モータＭ１を駆動して挿入された紙幣Ａを搬入通路４６に導いて取込み（ステップｎ２）、この搬入通路４６の入口部に配設された識別部４２を通過するときに紙幣の真偽や金種を識別し（ステップｎ３）、適正な真紙幣と識別した場合は、フラッパ１９を振分け操作して、挿入された紙幣Ａを金種に対応する何れかの金庫４３，４４，４５側に導くように切換える（ステップｎ４）。
【００５０】
該当する金種の金庫４３，４４，４５の直前に到達すると（ステップｎ５）、ＣＰＵ７１は紙幣が集積部１４に送り込まれて集積完了するまでの１枚送り込み搬送時間をセットし（ステップｎ６）、タイムアップして集積完了したことを検知すると、ＣＰＵ７１は集積部１４に紙幣が１枚集積されたことを確認し、またフラッパ１９を元の位置に戻して後続の紙幣の集積に備える（ステップｎ７）。
【００５１】
続いて後続の紙幣があれば、同様にフラッパ１９の振分け操作に基づいて該当する金種の金庫４３，４４，４５に導く（ステップｎ８）。このとき、集積部１４では上羽根車２０と下羽根車１６と集積ベルト２２とによる紙幣送り込み作用と、両羽根車２０，１６による紙幣持ち上げ作用とが働いて、集積部１４に送り込まれた紙幣Ａを下から順に集積させる。
【００５２】
また、挿入された紙幣Ａが識別部４２で識別不良と判定された場合は、ＣＰＵ７１はその識別不良紙幣を搬入通路４６から搬出通路４８へと導き、搬出通路４８の直前に導かれると（ステップｎ９）、ＣＰＵ７１はこの導かれた紙幣が搬出通路４８に送り込まれて集積完了するまでの紙幣１枚の送り込み搬送時間をセットし、タイムアップすると、ＣＰＵ７１は搬出通路４８上に形成された返却用集積装置４７で紙幣が１枚集積されたことを確認し、このとき最後に繰出された紙幣であれば、ＣＰＵ７１は一時集積が完了したとして搬送を停止するが、未だ繰出す紙幣が残っていれば、次の紙幣１枚の送り込み搬送時間をセットして次の紙幣の集積に備える（ステップｎ１０）。
【００５３】
ところで、各金庫４３，４４，４５の集積部１４に紙幣が集積されたとき、紙幣Ａが取引可能な真紙幣であり（ステップｎ１１）、さらに取消し操作もなく取引成立すると（ステップｎ１２）、ＣＰＵ７１はプッシャモータＭ２を正転駆動してプッシャ装置４９を上動させ、集積部１４に集積した紙幣Ａ…を上方の金種別に対応する紙幣収納部１２に一括移送して収納処理する（ステップｎ１３）。
【００５４】
この紙幣収納部１２への収納処理が完了すると（ステップｎ１４）、ＣＰＵ７１はプッシャモータＭ２を逆転駆動してプッシャ装置４９を元の位置に戻す（ステップｎ１５）。このプッシャ装置４９の復帰動作を確認すると（ステップｎ１６）、ＣＰＵ７１はプッシャモータＭ２の逆転駆動を停止して集積部１４での１集積処理を終了し、次の集積動作に備える（ステップｎ１７）。
【００５５】
また、集積時に識別不良と判定された紙幣が返却用集積装置４７に一時集積されている場合は、ＣＰＵ７１は該返却用集積装置４７のソレノイドＳＯＬを駆動して一時集積紙幣の繰出し規制を解除し、また搬送モータＭ１を駆動して一時集積されている紙幣を紙幣返却口３９へと返却する（ステップｎ１８）。
【００５６】
この識別不良紙幣が返却されたことを確認すると（ステップｎ１９）、ＣＰＵ７１は搬送モータＭ１の駆動を停止し、またソレノイドＳＯＬを元の位置に復帰動作させて次の紙幣に備える（ステップｎ２０）。
【００５７】
一方、挿入された紙幣を金庫４３，４４，４５側に集積した後に、取消し操作等で取引不成立になると、ＣＰＵ７１は集積部１４の入口のソレノイドＳＯＬを駆動して、紙幣を返却可能にフラッパ１９を開操作すると共に、直ちに搬送モータＭ１を逆転駆動し、これに連動して両羽根車２０，１６及び集積ベルト２２が逆転し、集積された紙幣Ａ…は集積部１４から逆送されて一括して戻される（ステップｎ２１）。
【００５８】
この返却すべき紙幣が集積部１４から逆送されて再び搬入通路４６に戻されたことを確認すると（ステップｎ２２）、ＣＰＵ７１は搬送モータＭ１の駆動を停止し、また集積部１４の入口のソレノイドＳＯＬを元の位置に復帰動作させる（ステップｎ２３）。
【００５９】
ＣＰＵ７１は戻された返却紙幣を搬入通路４６から搬出通路４８へと導き、返却用集積装置４７側のソレノイドＳＯＬを駆動して、この搬出通路４８の搬出規制を解除すると共に、搬送モータＭ１を正転して返却紙幣をそのまま直進させて紙幣返却口３９より返却させる（ステップｎ２４）。
【００６０】
紙幣が返却されたことを検知センサＳによって確認すると（ステップｎ２５）、ＣＰＵ７１は搬送モータＭ１の駆動を停止すると共に、返却用集積装置４７のソレノイドＳＯＬの駆動を解除して元の位置に復帰させ、再び返却用集積装置４７で紙幣を集積可能に搬出規制した元の状態に戻す（ステップｎ２６）。
【００６１】
上述のように、各金庫の集積部で紙幣を集積するときは、紙幣を上方に持ち上げた状態で後続の紙幣を下から集積するが、この場合に集積部の送り込み方向中間部分(紙幣長手方向中央位置)に非接触集積空間を形成し続けておくことができるため、集積されている紙幣に、送り込まれてきた紙幣の先端が接触せずに集積される。ことに、紙幣長手方向中央位置に生じやすい亀裂部分や折れ癖部分との接触を回避することができるので紙幣の損傷度合いにかかわらず確実に集積することができる。また、両側の紙幣の幅方向両端位置を持ち上げるため紙幣を両側より安定して持ち上げることができる。さらに、このような紙幣集積装置を自動券売機に組込むことができるほか、ＡＴＭや紙幣入出金機等に組込んで利用でき、集積性能が安定した信頼性の高い紙幣の取引処理ができる。
【００６２】
例えば、下羽根車１６の代わりに、送り込み方向へかけ上がり傾斜させた傾斜ベルトを配設し、この傾斜ベルトの配設によって紙幣の長手方向中央位置の奥方を持ち上げる構成にしてもよい。
【００６３】
この発明の構成と、上述の一実施例の構成との対応において、
この発明の集積手段は、実施例の上羽根車２０と位置決めストッパ片２１及び集積ベルト２２に対応し、
以下同様に、
持ち上げ手段は、下羽根車１６に対応し、
取引処理装置は、自動券売機３１に対応するも、この発明は上述の一実施例の構成のみに限定されるものではない。
【図面の簡単な説明】
【００６４】
【図１】この発明の紙幣集積装置の概略側面図。
【図２】この発明の紙幣集積装置を示す平面図。
【図３】この発明の集積部下側の配置状態を示す平面図。
【図４】この発明の紙幣集積装置の上羽根車の配置状態を示す要部正面図。
【図５】この発明の紙幣集積装置の位置決めストッパ片を示す要部背面図。
【図６】この発明の紙幣集積装置の送り込み動作を示す概略側面図。
【図７】この発明の紙幣集積装置の紙幣退避動作を示す概略側面図。
【図８】この発明の複数枚の紙幣集積動作を示す概略側面図。
【図９】この発明の集積紙幣の一括返却初期動作を示す概略側面図。
【図１０】この発明の集積紙幣の一括返却繰出し終期動作を示す概略側面図。
【図１１】この発明の紙幣集積装置を備えた自動券売機を示す外観斜視図。
【図１２】この発明の自動券売機に内蔵される紙幣処理装置を示す内部構成図。
【図１３】この発明の紙幣処理装置の制御回路ブロック図。
【図１４】この発明の紙幣処理装置の集積処理動作を示すフローチャート。
【図１５】この発明の図１４に続くフローチャート。
【符号の説明】
【００６５】
１３…紙幣集積装置
１４…集積部
１６…下羽根車
２１…位置決めストッパ片
２２…集積ベルト
３１…自動券売機
Ａ…紙幣
Ｐ０…紙幣長手方向中央位置
Ｐ３…非接触集積空間
【図１】
2006343835.tif 000003
【図２】
2006343835.tif 000004
【図３】
2006343835.tif 000005
【図４】
2006343835.tif 000006
【図５】
2006343835.tif 000007
【図６】
2006343835.tif 000008
【図７】
2006343835.tif 000009
【図８】
2006343835.tif 000010
【図９】
2006343835.tif 000011
【図１０】
2006343835.tif 000012
【図１１】
2006343835.tif 000013
【図１２】
2006343835.tif 000014
【図１３】
2006343835.tif 000015
【図１４】
2006343835.tif 000016
【図１５】
2006343835.tif 000017